(57)【要約】【課題】音声電話中にテレビ電話の着信を通知するメッセージを受信した場合に、ユーザがテレビ電話の着信に対して応答ができる無線通信装置を提供する。【解決手段】１ｘシステムおよびＥＶＤＯシステムによる情報の送受信が可能な送受信手段（ＲＸ０／ＴＸ）と、１ｘシステムおよびＥＶＤＯシステムによる情報の受信が可能な受信手段（ＲＸ１）と、送受信手段（ＲＸ０／ＴＸ）を用いて１ｘシステムによる通話中に、１ｘシステムを介してＥＶＤＯシステムの着信を示すメッセージを受信すると、受信手段（ＲＸ１）を用いてＥＶＤＯシステムを検出するシステム検出処理を行い、ＥＶＤＯシステムが検出された場合に、ユーザにＥＶＤＯシステムの着信を報知する制御部８を備える。【選択図】図１
2008136097.tif 000002
【特許請求の範囲】
【請求項１】
第１無線通信システムおよび第２無線通信システムによる情報の送受信が可能な送受信手段と、
少なくとも前記第１無線通信システムおよび第２無線通信システムによる情報の受信が可能な受信手段と、
前記送受信手段を用いた前記第１無線通信システムによる通話中に、該第１無線通信システムを介して前記第２無線通信システムの着信を示すメッセージを受信すると、前記受信手段を用いて前記第２無線通信システムを検出するシステム検出処理を行う制御手段と、
を有することを特徴とする無線通信装置。
【請求項２】
前記制御手段は、前記システム検出処理により前記第２無線通信システムが検出された場合、前記第２無線通信システムの着信を報知することを特徴とする請求項１に記載の無線通信装置。
【請求項３】
前記制御手段は、前記第２無線通信システムの着信に応答する旨の指示を受けると、前記送受信手段を用いた前記第１無線通信システムによる通話の終話処理を実行し、前記送受信手段を用いて前記第２無線通信システムのシステム設定を行うことを特徴とする請求項１または２に記載の無線通信装置。
【請求項４】
第１無線通信システムおよび第２無線通信システムによる情報の送受信が可能な送受信手段と、少なくとも前記第１無線通信システムおよび第２無線通信システムによる情報の受信が可能な受信手段とを用いた無線通信方法であって、
前記送受信手段を用いた前記第１無線通信システムによる通話中に、該第１無線通信システムを介して前記第２無線通信システムの着信を示すメッセージを受信すると、前記受信手段を用いて前記第２無線通信システムを検出するシステム検出処理を行うことを特徴とする無線通信方法。
【発明の詳細な説明】
【技術分野】
【０００１】
本発明は、無線通信装置および無線通信方法に関するものである。
【背景技術】
【０００２】
近年、携帯電話等の無線通信装置には、それぞれの規格に応じた複数の方式が存在しており、例えば、日本の携帯電話方式では、ＴＤＭＡ方式、ＣＤＭＡ方式が普及している。
【０００３】
通常、無線通信装置は、何れか１つの規格に対応するように構成されているが、最近の例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システム（例えば、ｃｄｍａ２０００  １ｘ方式と１ｘＥＶ−ＤＯ方式等）で通信を行うマルチバンド／マルチモード化も行われている。
【０００４】
このようなマルチバンド／マルチモードに対応する無線通信装置として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した携帯電話端末が知られている（例えば、特許文献１参照）。
【０００５】
また、最近では、ｃｄｍａ２０００  １ｘＥＶ−ＤＯシステムでの送受信をプライマリアンテナで行うと同時に、ｃｄｍａ２０００  １ｘシステムでの受信をセカンダリアンテナで行うＳＨＤＲ（Ｓｉｍｕｌｔａｎｅｏｕｓ  Ｈｙｂｒｉｄ  Ｄｕａｌ  Ｒｅｃｅｉｖｅｒ）機能を搭載して、プライマリアンテナによる通信のスループットの向上を図ったマルチバンド／マルチモード対応の携帯電話端末も考えられている。
【０００６】
図７は、このようなＳＨＤＲ機能を搭載した携帯電話端末の要部の概略構成を示す機能ブロック図である。この携帯電話端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘシステム（回線交換システム）と、１ｘＥＶＤＯ（以下、単にＥＶＤＯと適宜略称する）方式によるＥＶＤＯシステム（パケット交換システム）とを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００７】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。
【特許文献１】特開２００４−１５１６２号公報
【発明の開示】
【発明が解決しようとする課題】
【０００８】
上述した１ｘシステムとＥＶＤＯシステムの両方の機能を備えた携帯電話端末では、ＥＶＤＯシステムによる通信（パケット通信）が行われていないときは着信がないことから、１ｘシステムによる音声電話中は、ＥＶＤＯシステムの電波状態の監視を行わない。そのため、１ｘシステムによる音声電話中にＥＶＤＯシステムによるテレビ電話（ＩＰＶＴ：ＩＰ  Ｖｉｄｅｏ  Ｔｅｌｅｐｈｏｎｙ）の着信を通知するメッセージを１ｘシステムで受信した場合は、ＥＶＤＯシステムの状態が圏外であるか圏内であるか分らないことから、ユーザに着信通知を行わないので、ユーザがテレビ電話の着信に対して応答ができないという問題がある。
【０００９】
本発明は、このような問題点に鑑みてなされたものであり、本発明の目的は、第１の無線通信システムで通話している際に第２の無線通話システムの着信を通知するメッセージを第１の無線通信システムで受信した場合に、当該着信に対して応答ができる無線通信装置および無線通信方法を提供することにある。
【課題を解決するための手段】
【００１０】
上記目的を達成するため、本発明の無線通信装置は、第１無線通信システムおよび第２無線通信システムによる情報の送受信が可能な送受信手段と、少なくとも前記第１無線通信システムおよび第２無線通信システムによる情報の受信が可能な受信手段と、前記送受信手段を用いた前記第１無線通信システムによる通話中に、該第１無線通信システムを介して前記第２無線通信システムの着信を示すメッセージを受信すると、前記受信手段を用いて前記第２無線通信システムを検出するシステム検出処理を行う制御手段とを有することを特徴とする。
【００１１】
前記制御手段は、前記システム検出処理により前記第２無線通信システムが検出された場合、前記第２無線通信システムの着信を報知することが好ましく、また、前記制御手段は、前記第２無線通信システムの着信に応答する旨の指示を受けると、前記送受信手段を用いた前記第１無線通信システムによる通話の終話処理を実行し、前記送受信手段を用いて前記第２無線通信システムのシステム設定を行うことが好ましい。
【００１２】
また、本発明の無線通信方法は、第１無線通信システムおよび第２無線通信システムによる情報の送受信が可能な送受信手段と、少なくとも前記第１無線通信システムおよび第２無線通信システムによる情報の受信が可能な受信手段とを用いた無線通信方法であって、前記送受信手段を用いた前記第１無線通信システムによる通話中に、該第１無線通信システムを介して前記第２無線通信システムの着信を示すメッセージを受信すると、前記受信手段を用いて前記第２無線通信システムを検出するシステム検出処理を行うことを特徴とする。
【発明の効果】
【００１３】
本発明は、送受信手段を用いて第１の無線通信システムによる通話中に第２の無線通信システムの着信を通知するメッセージを第１の無線通信システムで受信した場合に、受信手段を用いて第２の無線通信システムに切替え可能であることを確認してユーザに着信を通知するので、ユーザが当該着信に対して応答ができる。
【発明を実施するための最良の形態】
【００１４】
本発明の実施の形態について図面を参照して説明する。図１は、本発明の無線通信装置としての携帯電話端末の概略構成を示す機能ブロック図である。本実施の形態の携帯電話端末は、図７と同様に、８００ＭＨｚ帯および２ＧＨｚ帯によるｃｄｍａ２０００  １ｘの第１無線通信システム（以下、１ｘシステムと適宜略称する）と、１ｘＥＶＤＯの第２無線通信システム（以下、ＥＶＤＯシステムと適宜略称する）とを有するとともに、１．５ＧＨｚ帯のＧＰＳ周波数の受信機能を有するものである。
【００１５】
図１に示す携帯電話端末は、ベースバンド部１と、送信部（ＴＸ）２と、プライマリ受信部（プライマリＲＸ０）３と、セカンダリ受信部（セカンダリＲＸ１）４と、デュープレクサ５と、プライマリアンテナ６と、セカンダリアンテナ７と、制御部（制御手段）８と、受信アンテナ制御部９と、表示部１０と、入力部１１と、電話機マイク１２と、電話機スピーカ１３を備えている。
【００１６】
図１において、変調回路および復調回路を有するベースバンド部１には、送信部（ＴＸ）２およびプライマリ受信部（プライマリＲＸ０）３と、セカンダリ受信部（セカンダリＲＸ１）４とが接続されている。送信部２およびプライマリ受信部３は、デュープレクサ５を介してプライマリアンテナ６に接続されて、８００ＭＨｚ帯および２ＧＨｚ帯での送受信が可能となっている。また、セカンダリ受信部４は、セカンダリアンテナ７に接続されて、プライマリ受信部３と独立して８００ＭＨｚ帯、２ＧＨｚ帯および１．５ＧＨｚ帯での受信が可能となっている。ここで、送受信手段は、送信部２、プライマリ受信部３、デュープレクサ５およびプライマリアンテナ６を含んで構成され、受信手段は、セカンダリ受信部４およびセカンダリアンテナ７を含んで構成されている。
【００１７】
本発明は、上述した携帯電話端末において、送受信手段（ＲＸ０／ＴＸ）を用いて１ｘシステムにより音声電話中に、１ｘシステムを介してＥＶＤＯシステムのテレビ電話の着信を示すメッセージを受信すると、受信手段（ＲＸ１）を用いてＥＶＤＯシステムを検出（スキャン）するシステム検出処理を行うものである。
【００１８】
図２は、音声電話中にテレビ電話（ＩＰＶＴ）の着信を示すメッセージを受信したときの動作を説明するシーケンス図である。制御部（制御手段）８は、送受信手段（ＲＸ０／ＴＸ）を用いて１ｘシステムにより音声電話中に、ＳＩＰサーバからのテレビ電話（ＩＰＶＴ）の起動呼び出しを受けてＳＭＳ（Ｓｈｏｒｔ  Ｍｅｓｓａｇｅ  Ｓｅｒｖｉｃｅ）サーバから１ｘシステムを介してテレビ電話（ＩＰＶＴ）の着信を示すＤａｔａＢｕｒｓｔメッセージ（ＳＭＳ：ＩＰＶＴ）を受信すると、送受信手段（ＲＸ０／ＴＸ）を用いて音声電話で通話をしつつ、受信手段（ＲＸ１）を用いて、ＥＶＤＯシステムの検出（スキャン）を開始する。制御部（制御手段）８は、ＥＶＤＯシステムを検出してテレビ電話（ＩＰＶＴ）へ切替え可能状態であることを確認したならば、表示部１０の画面に着信を表示し、送受信手段（ＲＸ０／ＴＸ）から１ｘシステムに対してＤａｔａＢｕｒｓｔメッセージ（ＳＭＳ：Ａｃｋ）を送信する。
【００１９】
ここで、図１に示す入力部１１から、ユーザにより１ｘシステムによる音声電話からＥＶＤＯシステムによるテレビ電話（ＩＰＶＴ）への切替え指示があると、送受信手段（ＲＸ０／ＴＸ）と１ｘシステムとの間でリリースオーダー（Ｒｅｌｅａｓｅ  Ｏｒｄｅｒ）信号の送受信を行って音声電話の終話処理を行う。次に、送受信手段（ＲＸ０／ＴＸ）とＥＶＤＯシステムとの間でシステムネゴシエーション処理およびパケット接続（ダイヤルアップ接続）処理を行う。次に、ＳＩＰサーバにレジストレーション（Ｒｅｇｉｓｔｒａｔｉｏｎ）を行い、ＳＩＰサーバからＩＮＶＩＴＥメッセージが送られてくると、ＲｉｎｇｉｎｇをＳＩＰサーバを介して相手端末に送信する。さらに、２００  ＯＫ応答メッセージをＳＩＰサーバを介して相手端末に送信し、相手端末からＡＣＫメッセージを受信すると、相手端末との間でコネクションが確立され、以降は、相手端末との間でＥＶＤＯシステムによるテレビ電話（ＩＰＶＴ）が開始される。
【００２０】
図３は、携帯電話端末の表示部の画面遷移を示す図である。（ａ）は音声電話で通話しているときの表示部１０の画面を示している。ここでテレビ電話（ＩＰＶＴ）の着信通知があると、受信手段によりＥＶＤＯシステムの検出を開始するが、検出を行っている間はテレビ電話の着信通知は行わない。ＥＶＤＯシステムが検出されたならば、（ｂ）に示すように、画面に「Ｉｎｃｏｍｉｎｇ．．．京セラ太郎  ＴＶ電話の着信中です。」の文字を表示してユーザにテレビ電話の着信通知を行う。ＥＶＤＯシステムが検出されない場合は、ユーザには何も通知せず、音声電話を継続する。（ｂ）に示す画面のときに、ユーザにより「ＴＶ電」のキーが押されてテレビ電話（ＩＰＶＴ）への切替えの指示があると、携帯電話端末が音声電話終話処理、ＥＶＤＯシステムとのネゴシエーション処理およびパケット接続処理を行っている間、（ｃ）に示すように、画面に「Ｃｈａｎｇｉｎｇ．．．音声→ＴＶ電」の文字が表示される。相手端末との間でコネクションが確立されると、（ｄ）に示すように、画面にテレビ電話の映像が表示される。また、（ｂ）に示す画面のときに、着信を無視してユーザにより一定時間キーが押されなかったとき、またはユーザにより「拒否」のキーが押されたときは、（ｂ）から（ａ）に示すように、音声電話の画面に戻る。
【００２１】
図４は、図３（ａ）に示す画面のときに、ＥＶＤＯシステムの検出を開始して、ＥＶＤＯシステムを検出できなかったときの動作を説明するシーケンス図である。制御部（制御手段）８は、送受信手段（ＲＸ０／ＴＸ）を用いて１ｘシステムにより音声電話中に、１ｘシステムを介してテレビ電話（ＩＰＶＴ）の着信を示すＤａｔａＢｕｒｓｔメッセージ（ＳＭＳ：ＩＰＶＴ）を受信すると、送受信手段（ＲＸ０／ＴＸ）を用いて音声電話で通話をしつつ、受信手段（ＲＸ１）を用いて、ＥＶＤＯシステムの検出（スキャン）を開始する。制御部（制御手段）８は、このときタイマを起動し、所定時間ＥＶＤＯシステムを検出できないときは、検出失敗と判断して、送受信手段（ＲＸ０／ＴＸ）から１ｘシステムに対してＥＶＤＯ圏外のＤａｔａＢｕｒｓｔメッセージ（ＳＭＳ：Ａｃｋ）を送信する。
【００２２】
図５は、図３（ｂ）に示す画面のときに、ユーザが着信を無視して一定時間キーを押さなかったときの動作を説明するシーケンス図である。制御部（制御手段）８は、送受信手段（ＲＸ０／ＴＸ）を用いて１ｘシステムにより音声電話中に、１ｘシステムを介してテレビ電話（ＩＰＶＴ）の着信を示すＤａｔａＢｕｒｓｔメッセージ（ＳＭＳ：ＩＰＶＴ）を受信すると、送受信手段（ＲＸ０／ＴＸ）を用いて音声電話で通話をしつつ、受信手段（ＲＸ１）を用いて、ＥＶＤＯシステムの検出（スキャン）を開始する。ＥＶＤＯシステムを検出したならば、制御部（制御手段）８は、このときタイマを起動し、ユーザが一定時間キーを押さなかったときは、着信拒否と判断して、送受信手段（ＲＸ０／ＴＸ）から１ｘシステムに対して着信拒否のＤａｔａＢｕｒｓｔメッセージ（ＳＭＳ：Ａｃｋ）を送信する。
【００２３】
図６は、図３（ｂ）に示す画面のときに、ユーザが「拒否」のキーを押したときの動作を説明するシーケンス図である。制御部（制御手段）８は、送受信手段（ＲＸ０／ＴＸ）を用いて１ｘシステムにより音声電話中に、１ｘシステムを介してテレビ電話（ＩＰＶＴ）の着信を示すＤａｔａＢｕｒｓｔメッセージ（ＳＭＳ：ＩＰＶＴ）を受信すると、送受信手段（ＲＸ０／ＴＸ）を用いて音声電話で通話をしつつ、受信手段（ＲＸ１）を用いて、ＥＶＤＯシステムの検出（スキャン）を開始し、ＥＶＤＯシステムを検出したならば、図３（ｂ）に示す着信画面を表示する。このとき、ユーザが「拒否」のキーを押したときは、制御部（制御手段）８は、送受信手段（ＲＸ０／ＴＸ）から１ｘシステムに対して着信拒否のＤａｔａＢｕｒｓｔメッセージ（ＳＭＳ：Ａｃｋ）を送信する。
【００２４】
上述したように、本発明は、送受信手段を用いて第１の無線通信システムによる通話中に第２の無線通信システムの着信を通知するメッセージを第１の無線通信システムで受信した場合に、受信手段を用いて第２の無線通信システムに切替え可能であることを確認してユーザに着信を通知するので、ユーザが当該着信に対して応答ができる。
また、本発明は、上記実施の形態のアプリケーションに限定するものではない。
【図面の簡単な説明】
【００２５】
【図１】本発明の無線通信装置としての携帯電話端末の概略構成を示す機能ブロック図である。
【図２】音声電話中にテレビ電話（ＩＰＶＴ）の着信を示すメッセージを受信したときの動作を説明するシーケンス図である。
【図３】携帯電話端末の表示部の画面遷移を示す図である。
【図４】ＥＶＤＯシステムの検出を開始して、ＥＶＤＯシステムを検出できなかったときの動作を説明するシーケンス図である。
【図５】ユーザが着信を無視して一定時間キーを押さなかったときの動作を説明するシーケンス図である。
【図６】ユーザが「拒否」のキーを押したときの動作を説明するシーケンス図である。
【図７】ＳＨＤＲ機能を搭載した従来の携帯電話端末の概略構成を示す機能ブロック図である。
【符号の説明】
【００２６】
１  ベースバンド部
２  送信部
３  プライマリ受信部
４  セカンダリ受信部
５  デュープレクサ
６  プライマリアンテナ
７  セカンダリアンテナ
８  制御部
９  受信アンテナ制御部
１０表示部
１１  入力部
１２  マイク
１３  スピーカ
【図１】
2008136097.tif 000003
【図２】
2008136097.tif 000004
【図３】
2008136097.tif 000005
【図４】
2008136097.tif 000006
【図５】
2008136097.tif 000007
【図６】
2008136097.tif 000008
【図７】
2008136097.tif 000009